(57)【要約】【課題】  効率的に広い範囲で吸引が可能であり、また吸引するだけでなく、凸凹の池底等の掃除を適宜可能にするサイフォン式掃除器具を提供すること。【解決手段】  ホース部２と、ホース部の先端に基端が取り付けられた筒状部３と、筒状部の先端に取り付けられ着脱が可能なノズル部４Ａを備え、ノズル部として、交換可能な異なる形状のものを複数備え、複数のノズル部のうち少なくとも一つが、筒状部の延在方向に対して垂直方向に延在した先端管部４ｃを備え、先端管部に複数の吸引口６が先端管部の延在方向に並んで形成されている。【選択図】図１
2020141649.tif 000002
【特許請求の範囲】
【請求項１】
ホース部と、
前記ホース部の先端に基端が取り付けられた筒状部と、
前記筒状部の先端に取り付けられ着脱が可能なノズル部を備え、
前記ノズル部として、交換可能な異なる形状のものを複数備え、
前記複数のノズル部のうち少なくとも一つが、前記筒状部の延在方向に対して垂直方向に延在した先端管部を備え、
前記先端管部に複数の前記吸引口が前記先端管部の延在方向に並んで形成されていることを特徴とするサイフォン式水中掃除器具。
【請求項２】
請求項１に記載のサイフォン式水中掃除器具において、
複数の前記ノズル部のうち少なくとも一つが、先端部にブラシ部と吸引口とを備えていることを特徴とするサイフォン式水中掃除器具。
【請求項３】
請求項２に記載のサイフォン式水中掃除器具において、
前記吸引口が、前記ノズル部の先端に形成され、
前記ブラシ部が、前記吸引口の周りに設けられていることを特徴とするサイフォン式水中掃除器具。
【請求項４】
請求項１から３のいずれか一項に記載のサイフォン式水中掃除器具において、
前記筒状部又は前記ホース部に設けられ前記吸引口から吸引された水中の固形物を留め除去するためのフィルターを備えていることを特徴とするサイフォン式水中掃除器具。
【請求項５】
請求項４に記載のサイフォン式水中掃除器具において、
前記筒状部が、前記ホース部の基端を前記筒状部の中間に着脱可能に固定するホース固定部を備えていることを特徴とするサイフォン式水中掃除器具。
【請求項６】
請求項１から５のいずれか一項に記載のサイフォン式水中掃除機具おいて、
前記筒状部が、その内部に前記筒状部の先端から基端に向かった流れに対して開くと共に前記流れの逆方向の流れに対して閉じる逆止弁を備えていることを特徴とするサイフォン式水中掃除器具。
【発明の詳細な説明】
【技術分野】
【０００１】  本発明は、池や水槽内を掃除する際に電源が確保できなくても掃除を可能とするサイフォン式水中掃除器具である。
【背景技術】
【０００２】  従来、例えば特許文献１には、サイフォンの原理やモーターエンジン等のエネルギーを利用して水槽や池などの小石のヘドロや養殖している魚の餌の食べ残し等を吸引し、外部に排出する掃除器具が記載されている。この掃除器具では、パイプの先端にヘドロ等を吸引する吸引小孔が形成されている。【０００３】  また、特許文献２では、水槽内面に付着した苔等を掻き落とすための掻き落とし部を備えるスクレーパ本体と、掻き落とした苔等を含む水を吸引して水槽外へ排出するための給水手段を脱着可能に設けた苔取り具が記載されている。この苔取り具では、吸水手段としてサイフォン式に水槽内の水を吸い取る吸水パイプを用いている。
【先行技術文献】
【特許文献】
【０００４】
【特許文献１】特開平１０−３２８６３４号公報
【特許文献２】特開平８−１３１９８４号公報
【発明の概要】
【発明が解決しようとする課題】
【０００５】  上記従来の技術には、以下の課題が残されている。
池や水槽で魚（例えばチョウザメ等）を養殖する場合、池や水槽内に藻や苔が過剰に発生して水質汚濁や溶存酸素の減少が生じ、養殖に問題が生じてしまうおそれがある。また、屋外では、池や水槽にごみが沈殿し易く、ヘドロの原因となっていた。このようなヘドロ等のごみを餌と一緒に魚が食べてしまい、健全な飼育が困難になるという問題があった。そのため、器具等を用いて池や水槽内のヘドロ等のごみを適宜吸い出すことが必要であるが、屋外等では電力の確保が困難であった。
上記従来の特許文献１及び２の技術で、サイフォン式を用いて、池や水槽内のヘドロや餌の食べ残し等のごみを吸引しているが、先端部に開口した１つの吸引口だけで吸い出しているため、ごみ等を狭い範囲でしか吸引することができず、大きな池や水槽等の広い範囲でごみを吸引する必要がある場合、先端部を大きく動かして操作しなければならず、ごみの吸引作業が大変であるという不都合があった。
また、池や水槽内のごみ等を吸引する際、吸引すると同時に池や水槽内を掃除したいという要望がある。特許文献１の技術では、吸引するのみで掃除する機構がなかった。また、特許文献２の技術では、苔等を掻き落とすための掻き落とし部を備えるスクレーパ本体を備えているものの、スクレーパ本体では平坦面に付着した苔等を掻き落とすことは容易であるが、凸凹な池底や池底の石等に付着しているヘドロや苔等を効率的に掻き落とすことが困難であった。【０００６】本発明は、前述の課題に鑑みてなされたもので、効率的に広い範囲で吸引が可能であり、また吸引するだけでなく、凸凹の池底等の掃除を適宜可能にするサイフォン式掃除器具を提供することを目的とする。
【課題を解決するための手段】
【０００７】  本発明は、前記課題を解決するために以下の構成を採用した。すなわち、第１の発明に係るサイフォン式水中掃除器具は、ホース部と、前記ホース部の先端に基端が取り付けられた筒状部と、前記筒状部の先端に取り付けられ着脱が可能なノズル部を備え、前記ノズル部として、交換可能な異なる形状のものを複数備え、前記複数のノズル部のうち少なくとも一つが、前記筒状部の延在方向に対して垂直方向に延在した先端管部を備え、前記先端管部に複数の前記吸引口が前記先端管部の延在方向に並んで形成されていることを特徴とする。【０００８】  このサイフォン式水中掃除器具では、複数のノズル部のうち少なくとも一つが、筒状部の延在方向に対して垂直方向に延在した先端管部を備え、先端管部に複数の吸引口が先端管部の延在方向に並んで形成されているので、ノズル部がＴ字型等になり、先端管部に並んだ複数の吸引口により広い範囲で吸引することが可能になり、幅広くごみ等を吸い出すことができる。【０００９】  第２の発明に係るサイフォン式水中掃除器具は、第１の発明において、複数の前記ノズル部のうち少なくとも一つが、先端部にブラシ部と吸引口とを備えていることを特徴とする。
すなわち、このサイフォン式水中掃除器具では、複数のノズル部のうち少なくとも一つが、先端部にブラシ部と吸引口とを備えているので、池や水槽内のごみを吸引口から吸引するだけでなく、ノズル部の先端に設けられたブラシ部を使用し、凹凸の有る池や水槽内の掃除を効率的に行うことが可能になる。したがって、ブラシ部で池や水槽内を擦って掃除すると共に、擦って剥がれた苔やごみを吸引口から同時に吸い出すことが可能になる。【００１０】  第３の発明に係るサイフォン式水中掃除器具は、第２の発明において、前記吸引口が、前記ノズル部の先端に形成され、前記ブラシ部が、前記吸引口の周りに設けられていることを特徴とする。
すなわち、このサイフォン式水中掃除器具では、吸引口が、ノズル部の先端に形成され、ブラシ部が、吸引口の周りに設けられているので、ブラシ部で池や水槽内を擦って剥がれた苔やごみをブラシ部の中央にある吸引口ですぐに吸引することが可能になる。したがって、ブラシ部で擦り落とした苔等が池や水槽の水中に舞ってしまうことを抑制可能である。【００１１】  第４の発明に係るサイフォン式水中掃除器具は、第１から第３の発明のいずれかにおいて、前記筒状部又は前記ホース部に設けられ前記吸引口から吸引された水中の固形物を留め除去するためのフィルターを備えていることを特徴とする。
すなわち、このサイフォン式水中掃除器具では、筒状部又はホース部に設けられ吸引口から吸引された水中の固形物を留め除去するためのフィルターを備えているので、吸い込んだ流体（水）からフィルターによりごみや苔などの固形物だけを留め、除去することができる。したがって、ホース部の基端から出てきた水は、ごみや苔をフィルターで除去できるので、ホース部から出できた流体（水）をそのまま池や水槽に戻すことが可能になる。【００１２】  第５の発明に係るサイフォン式水中掃除器具は、第４の発明において、前記筒状部が、前記ホース部の基端を前記筒状部の中間に着脱可能に固定するホース固定部を備えていることを特徴とする。
すなわち、このサイフォン式水中掃除器具では、筒状部が、ホース部の基端を筒状部の中間に着脱可能に固定するホース固定部を備えているので、フィルターでごみ等を除去した流体（水）を筒状部のホース固定部に取り付けたホース部からそのまま池や水槽に戻すことが可能になる。【００１３】  第５の発明に係るサイフォン式水中掃除器具は、第１から第５の発明のいずれかにおいて、前記筒状部が、その内部に前記筒状部の先端から基端に向かった流れに対して開くと共に前記流れの逆方向の流れに対して閉じる逆止弁を備えていることを特徴とする。
すなわち、このサイフォン式水中掃除器具では、筒状部が、その内部に筒状部の先端から基端に向かった流れに対して開くと共に前記流れの逆方向の流れに対して閉じる逆止弁を備えているので、逆止弁により逆流を防止することができる。
【発明の効果】
【００１４】  本発明によれば、以下の効果を奏する。
すなわち、本発明に係るサイフォン式水中掃除器具によれば、複数のノズル部のうち少なくとも一つが、筒状部の延在方向に対して垂直方向に延在した先端管部を備え、先端管部に複数の吸引口が先端管部の延在方向に並んで形成されているので、ノズル部がＴ字型等になり、先端管部に並んだ複数の吸引口により広い範囲で吸引することが可能になる。
また、ノズル部の交換が可能なので池や水槽の形状に応じて、様々なノズル部が使用できる。なお、サイフォンの原理を利用しているので、吸水に電力が不要であり、電力が確保できないところでも吸水・排水が可能になる。
また、本発明のサイフォン式水中掃除器具では、複数のノズル部のうち少なくとも一つが、先端部にブラシ部と吸引口とを備えることで、池や水槽を掃除する際に、ごみなどを吸引するだけでなく、ブラシを利用した掃除も可能になる。
さらに、フィルターを備えることで、吸い上げた水をそのまま外に出すことなく、フィルターでごみ等を除去した水を池や水槽中に戻すことが可能となる。
【図面の簡単な説明】
【００１５】
【図１】  本発明に係るサイフォン式水中掃除器具の第１実施形態において、第１のノズル部を取り付けた状態のサイフォン式水中掃除器具を示す平面図である。
【図２】  第１実施形態について、第１のノズル部を示す平面図である。
【図３】  第１実施形態において、第２のノズル部を取り付けた状態のサイフォン式水中掃除器具を示す平面図である。
【図４】  第１実施形態について、先端側から視た第２のノズル部を示す図である。
【図５】  第１実施形態について、第２のノズル部を示す平面図である。
【図６】  第１実施形態について、第１のノズル部の変形例を示す平面図である。
【図７】  第１実施形態について、実際にサイフォン式水中掃除器具を池中に沈めた状態を示す写真である。
【図８】  第１実施形態について、実際にサイフォン式水中掃除器具で池底を掃除している状態を示す写真である。
【図９】  本発明に係るサイフォン式水中掃除器具の第２実施形態を示す概略的な正面図である。
【図１０】  第２実施形態において、フィルター機構を示す概略的な正面図である。
【図１１】  第２実施形態において、フィルター機構を示す概略的な下面図である。
【図１２】  第２実施形態において、フィルター機構を示す概略的な平面図である。
【図１３】  第２実施形態において、排出口用の栓を示す正面図（ａ）及び平面図（ｂ）である。
【図１４】  本発明に係るサイフォン式水中掃除器具の第３実施形態を示す平面図である。
【図１５】  第３実施形態において、フィルターを示す正面図である。
【図１６】  第３実施形態において、ホース固定部材を示す斜視図である。
【図１７】  本発明に係るサイフォン式水中掃除器具の第３実施形態において、逆止弁が閉じた状態（ａ）と開いた状態（ｂ）とを示す要部の断面図である。
【図１８】  第３実施形態において、閉じた状態（ａ）と開いた状態（ｂ）とを示す逆止弁を示す軸線方向から見た要部の拡大図である。
【発明を実施するための形態】
【００１６】  以下、本発明に係るサイフォン式水中掃除器具の第１実施形態を、図１から図８を参照しながら説明する。
【００１７】  本実施形態のサイフォン式掃除器具１は、図１から図５に示すように、ホース部２と、ホース部２の基端に取り付けられた筒状部３と、筒状部３の先端に取り付けられ着脱が可能なノズル部４Ａ・４Ｂとを備えている。
上記複数のノズル部のうち少なくとも一つは、図１及び図２に示すように、筒状部３の延在方向に対して垂直方向に延在した先端管部４ｃを備えている第１のノズル部４Ａである。
上記先端管部４ｃには、複数の吸引口４ｄが先端管部４ｃの延在方向に並んで形成されている。
【００１８】  また、上記複数のノズル部のうち少なくとも一つは、図３から図５に示すように、先端部にブラシ部５と吸引口６とを備えている第２のノズル部４Ｂである。
上記第２のノズル部４Ｂは、内部の流路の内径が途中で絞られており、先端部の吸引口６の近傍で内径が大きく拡がって形成されている。
【００１９】  このようにノズル部は複数種類用意されており、本実施形態のサイフォン式掃除器具１では、Ｔ字型の第１のノズル部４Ａと、ブラシ型の第２のノズル部４Ｂとを備えている。
上記先端管部４ｃは、図１及び図２に示すように、筒状部３の先端から左右に両側に延在した先端管部４ｃを備えている。この第１のノズル部４Ａは、例えば径２０ｍｍの塩化ビニル管用の塩化ビニル製のチーズを使用し、両端側に２５０ｍｍずつ延在させて先端管部４ｃとした。この先端管部４ｃには、径１５ｍｍの吸引口６を間隔２０ｍｍにして左右それぞれに７つ開けている。また、先端管部４ｃの両端にはエンドキャップを取り付けて閉塞している。
【００２０】  上記第２のノズル部４Ｂは、吸引口６の周囲にブラシ部５を備え、ブラシ部５で水槽や池の底を擦ることで、汚れを浮かせて吸引口６から吸い取る仕組みになっている。
第２のノズル部４Ｂは、先端面がノズル部４Ｂの軸線方向に対して斜めに形成され、吸引口６が楕円になっている。その先端面から吸引口６を囲むようにしてブラシ部５が軸線方向に突出して設けられている。
なお、第２のノズル部４Ｂの先端面を軸線方向に対して斜めに形成することで、池や水槽底に対して第２のノズル部４Ｂの入射角が浅くなっても擦り易くなっている。また、ブラシ部５を楕円状にすることで、円に比べて長軸方向の広い範囲で擦ることが可能になる。
【００２１】  筒状部３とノズル部４Ａ・４Ｂとの接続は、例えばはめ込み式やねじ式などが可能である。特に、筒状部３側に雄ねじ部を形成し、ノズル部４Ａ・４Ｂ側に雌ねじ部を形成して互いに螺着させたねじ式は強度に優れている。
また、ホース部２と筒状部３との接続は、例えばホースバンド２ａを使用してもよい。
なお、例えばホース部２は径２５ｍｍのビニールホースを１５００ｍｍ使用し、筒状部３は内径２０ｍｍの塩化ビニル管を１０００ｍｍ使用する。
筒状部３及びノズル部４Ａ・４Ｂは水に浸けて使用するので、金属製は錆びる恐れがあり、プラスティック製品が好ましい。
【００２２】  次に、第１実施形態サイフォン式水中掃除器具１の使用方法を、図７及び図８を参照して説明する。
【００２３】  まず、図７に示すように、ノズル部４Ａ・４Ｂを取り付けた状態のサイフォン式水中掃除器具１を例えば池や水槽内に沈める。なお、外部からノズル部４Ａ・４Ｂを取り付けた状態のサイフォン式水中掃除器具１内に水を注入して、器具内を水で満たした後、エンドキャップなどを使用してホース部２の基端にふたをし、この状況で池や水槽の中に筒状部３の先端を入れても構わない。
【００２４】  次に、池や水槽外でホース部２の基端を下方に向けることで（ホース部２の基端に蓋をしている場合は、蓋を外す）、サイフォンの定理より、重力でホース部２内の水が外部に流れ出す。この際、同時にノズル部４Ａ・４Ｂの吸引口６から池や水槽内の水を吸い込めるので、水中のごみ等を吸い出すことができる。
【００２５】  また、ノズル部を第２のノズル部４Ｂに交換した場合、図８に示すように、先端のブラシ部５を用いて池や水槽内の底や石等の表面を擦って付着しているヘドロ等のごみを擦り落とすと共に吸引口６から吸い出すことで、掃除が可能になる。
【００２６】  このように本実施形態のサイフォン式水中掃除器具１では、複数のノズル部のうち少なくとも一つが、筒状部３の延在方向に対して垂直方向に延在した先端管部４ｃを備え、先端管部４ｃに複数の吸引口６が先端管部４ｃの延在方向に並んで形成されているので、ノズル部がＴ字型になり、先端管部４ｃに並んだ複数の吸引口６により広い範囲で吸引することが可能になり、幅広くごみ等を吸い出すことができる。
【００２７】  また、複数のノズル部４Ａ・４Ｂのうち少なくとも一つが、先端部にブラシ部５と吸引口６とを備えているので、池や水槽内のごみを吸引口６から吸引するだけでなく、第１のノズル部４Ａの先端に設けられたブラシ部５を使用し、凹凸の有る池や水槽内の掃除を効率的に行うことが可能になる。したがって、ブラシ部５で池や水槽内を擦って掃除すると共に、擦って剥がれた苔やごみを吸引口６から同時に吸い出すことが可能になる。
【００２８】  特に、吸引口６が、第２のノズル部４Ｂの先端に形成され、ブラシ部５が、吸引口６の周りに設けられているので、ブラシ部５で池や水槽内を擦って剥がれた苔やごみをブラシ部５の中央にある吸引口６ですぐに吸引することが可能になる。したがって、ブラシ部５で擦り落とした苔等が池や水槽の水中に舞ってしまうことを抑制可能である。
【００２９】  なお、第１のノズル部４Ａの変形例４Ｃとして、図６に示すように、先端管部４ｃにその延在方向に沿って設けられたブラシ部５を備えたものを採用しても構わない。この第１のノズル部４Ａの変形例４Ｃでは、先端管部４ｃのブラシ部５よりも筒状部３側にブラシ部５に沿って複数の吸引口６が並んで形成されており、ブラシ部５で擦り落としたヘドロ等のごみが水中に舞っても、ブラシ部５の上側に配列された複数の吸引口６によってごみを吸い込むことができる。
【００３０】  次に、本発明に係るサイフォン式水中掃除器具の第２〜第４実施形態について、図９〜図１８を参照して以下に説明する。なお、以下の各実施形態の説明において、上記実施形態において説明した同一の構成要素には同一の符号を付し、その説明は省略する。
【００３１】  第２実施形態と第１実施形態との異なる点は、第１実施形態では、吸い出した水はそのままホース部２の基端から外部に排出されるのに対し、第２実施形態のサイフォン式水中掃除器具２１では、図９に示すように、フィルター２２を備え、吸い込んだ水中のごみ等の固形物を除去して排出する点である。
すなわち、第２実施形態のサイフォン式水中掃除器具２１は、フィルター２２を備えたフィルター機構２０がホース部２の基端に接続されている。
【００３２】  第２実施形態のサイフォン式水中掃除器具２１では、フィルター機構２０を備えているためゴミやコケが除去される。したがって、第２実施形態では、別のパイプを使用することによって、そのまま池や水槽に流すことが可能になる。
【００３３】  また、第１実施形態では、サイフォン式水中掃除機器具１を流体（水）中に全て沈めてから使用するが、第２実施形態では、石油燃焼器具などに用いられている注油ポンプ２１−Ａの仕組みを利用しているため、サイフォン式水中掃除機器具２１のノズル部４Ａ・４Ｂだけを沈めて使用することが可能である。
すなわち、第２実施形態のサイフォン式水中掃除機器具２１は、ホース部２の途中に手動でノズル部４Ａ・４Ｂから水を吸い上げ可能な注油ポンプ２１−Ａが設けられている。
【００３４】  上記フィルター機構２０は、図１１のように、器状の形をした器部２２ａを備え、器部２２ａがホース部２の基端に接続されている。
そして、吸いだした水やゴミが、ホース部２の基端から器部２２ａの中に流れるようになっている。また、器部２２ａの上部を覆うようにしてフィルター２２が取り付けられている。
したがって、吸い出した水とゴミを分離するためのフィルター２２は、フィルター機構２０の中に所有している。
また、フィルター２２は引き出し状になっているので、掃除の際に出てきたゴミは池の水を汚さずに捨てることが可能である。
【００３５】  フィルター機構２０の上層部には、水温センサ２３とペルチェ素子２４が取り付けられている。これら水温センサー２３やペルチェ素子２４を利用して、排出される水の温度を適温に調節をする装置を取り付けても構わない。例えば、図９，図１０及び図１２に示すように、フィルター機構２０の天井部に太陽光パネル２５を設置し、さらにフィルター機構２０でろ過した後に流れる水の力を利用して発電するクロスフロー水車２８を設置して同時に稼働をすることで、クロスフロー水車２８の周辺に設けた直流電圧に変換するＤＣ変換器２７にて、電気が必要な水温センサ２３とペルチェ素子２４とペルチェ素子２４の制御部（図示略）に対し、安定した電力を供給することが可能である。なお、ＤＣ変換器２７は、ペルチェ素子２４の制御部も備えている。
【００３６】  フィルター機構２０の上層部、すなわちペルチェ素子２４の後方部に注水装置２９及び排出部のホースに栓２６−Ｃを設けた。これにより、器部２２ａの水位を容易に上げることができ、より安定して動作することが可能である。
フィルター機構２０の重さ及び水の重さを分散させて、かつ、移動することが可能な機構として４つの支柱２６−Ａとクロス状の筋交い２６−Ｂで構成されている。また、隣り合う支柱同士及び前記支柱の対角線上の支柱に前記クロス状の補強装置を取り付けることで、より強度を増すことが可能である。
【００３７】  フィルター機構２０の天井部はどの方位でも発電できるようにペルチェ素子２４の平行線上のなす角３０度で太陽光パネル２５を展開している。また、天井部があることにより、太陽の影響を受けず水温の調節をすることが可能となった。
【００３８】  第２実施形態の使用方法として、フィルター機構２０の排水部の栓をして上層部の注水部から水を投入する。
ここで注意してほしい点として、器部２２ａの水面を池及び水槽の水面より低めに設定する必要がある。すなわち、フィルター機構２０は池及び水槽の水面よりも低いところにあることが前提である。次に石油燃焼器具用の注油ポンプ２１−Ａの膨張部を３から５回ぐらい揉み、同時に排水部基端の栓を抜く。その後にノズル部４Ａ・４Ｂで掃除をする。また、掃除が終了した際には、ノズル部４Ａ・４Ｂを水面から出す事によって動作が終了する。
【００３９】  また、フィルター機構２０の大きさは、例えば縦５００ｍｍ×横４００ｍｍ×奥行き４００ｍｍであり、断面が五角形が望ましく、材質はプラスティックが好ましい。
引き出し状のフィルター２２の大きさは、例えば縦１００ｍｍ×横３９９ｍｍ×奥行き３９９ｍｍであり、フィルター２２の目の細かさは、１８メッシュが好ましい。フィルター２２及びフィルター２２のフレームの材質は、プラスティックが好ましい。
【００４０】  ４つの支柱とクロス状の補強装置との大きさは、それぞれの池の水位に合わせるため各自で調節する必要がある。４つの支柱とクロス状の補強装置との材質は木材であり、車輪部はプラスティックが好ましい。
フィルター機構２０の天井部の太陽光パネル２５の大きさは、例えば高さ４６２ｍｍ×底辺４００ｍｍの直角三角形である。
また、ペルチェ素子２４は、奥行き２００ｍｍ×横２００ｍｍ×縦３０ｍｍが望ましい。
【００４１】  ＤＣ変換器２７とクロスフロー水車２８の土台との大きさは、例えば奥行き４００ｍｍ×横４００ｍｍ×縦５０ｍｍが好ましい。また材質は木材が望ましい。そして、クロスフロー水車２８の大きさは、例えば縦５０ｍｍ×横２００ｍｍ×奥行き２００ｍｍが好ましい。
【００４２】  次に、第３実施形態と第２実施形態との異なる点は、第３実施形態では、ホース部２の基端に接続されたフィルター機構２０にフィルター２２が設けられているのに対し、第３実施形態のサイフォン式水中掃除器具３１では、図１４から図１６に示すように、ホース部２の基端部内にフィルター１１が取り付けられている点である。
【００４３】  また、第３実施形態のサイフォン式水中掃除器具３１は、図１４から図１６に示すように、筒状部３の中間とホース部２の基端部とを接続するホース固定部１０を備えている。
なお、フィルター１１は、ホース部２の基端にゴム１２で取り付けられている。
フィルター１１は、筒状部３基端の上にかぶせ、ゴム１２で固定する。流体がフィルター１１を通ることによって固形物が除去される。また、ゴム１２で固定するため、取り外しがしやすいようになっている。
【００４４】  上記ホース固定部１０は、一対の円筒部材１０ａが互いの外周面で固定されており、互いの軸線がねじれの関係となっている。一対の円筒部材１０ａの一方に筒状部３を挿通させると共に筒状部３の中間で固定することで、ホース固定部１０が筒状部３の中間に取り付けられる。
また、一対の円筒部材１０ａの他方にホース部２の基端部を上方から挿通することで、ホース部２の基端をホース固定部１０を介して筒状部３の中間に取り付けることができる。
【００４５】  筒状部３の中間とホース部２の基端部とは、ホース固定部１０によって固定することができる。なお、図１１では筒状部３とホース部２の基端部とが互いにねじれの関係とされているが、筒状部３とホース部２の基端部との角度が正面視で６０度程度になることで、使用時に動かしても水の流れを妨げることがない。
【００４６】  次に、第４実施形態と第１実施形態との異なる点は、第１実施形態では、ホース部２や筒状部３において吸い出した水がホース部２の基端を持ち上げたりすると逆流するおそれがあるのに対し、第４実施形態のサイフォン式水中掃除器具４１では、図１７及び図１８に示すように、筒状部３が、その内部に筒状部３の先端から基端に向かった流れに対して開くと共に前記流れの逆方向の流れに対して閉じる逆止弁１８を備えている点である。
【００４７】  第４実施形態のサイフォン式水中掃除器具４１は、筒状部３の内部にゴム製等の可撓性材料で形成された逆止弁１８を備えている。図１４に示すように、逆止弁１８の形は弁部１５及びフランジ状の固定部１６で構成されている。弁部１５はドーム状になっており、４つ又は６つの菊割れになっている。また、固定部１６は筒状部１７の凹みに嵌まるようになっている。
【００４８】  図１５の（ａ）に示すように、逆止弁１８は通常時、菊割れに分かれて開くことにより水を通す。また、図１５の（ｂ）に示すように、逆止弁１８が元のドーム形状に戻ることにより栓がされ、逆流した水をせき止めることができる。
【符号の説明】
【００４９】  １，２１，３１，４１…サイフォン式水中掃除器具、２…ホース部、２ａ…ホースバンド、３…筒状部、４ａ…第１のノズル部、４ｂ…第２のノズル部、５…ブラシ部、６…吸引口部、８…吸引口部、１０…ホース固定部、１１…フィルター、１２…ゴム、１５…弁部、１６…固定部、１７…へこみ、１８…逆止弁、２１−Ａ…注油ポンプ、２１−Ｂ…排出口用の栓、２２…引き出し式フィルター、２３…水温センサー、２４…ペルチェ素子、２５…ソーラーパネル、２６−Ａ…支柱、２６−Ｂ…筋交い，２６−Ｃ…車輪、２７…ＤＣ変換器、２８…クロスフロー水車、２９…注水部
【図１】
2020141649.tif 000003
【図２】
2020141649.tif 000004
【図３】
2020141649.tif 000005
【図４】
2020141649.tif 000006
【図５】
2020141649.tif 000007
【図６】
2020141649.tif 000008
【図７】
2020141649.tif 000009
【図８】
2020141649.tif 000010
【図９】
2020141649.tif 000011
【図１０】
2020141649.tif 000012
【図１１】
2020141649.tif 000013
【図１２】
2020141649.tif 000014
【図１３】
2020141649.tif 000015
【図１４】
2020141649.tif 000016
【図１５】
2020141649.tif 000017
【図１６】
2020141649.tif 000018
【図１７】
2020141649.tif 000019
【図１８】
2020141649.tif 000020
【手続補正書】
【提出日】令和1年10月9日(2019.10.9)
【手続補正１】
【補正対象書類名】特許請求の範囲
【補正対象項目名】全文
【補正方法】変更
【補正の内容】
【特許請求の範囲】
【請求項１】
ホース部と、
前記ホース部の先端に基端が取り付けられた筒状部と、
前記筒状部の先端に取り付けられ着脱が可能なノズル部を備え、
前記ノズル部として、交換可能な異なる形状のものを複数備え、
前記複数のノズル部のうち少なくとも一つが、前記筒状部の延在方向に対して垂直方向に延在した先端管部を備え、
前記先端管部が、前記筒状部の先端が中央に差し込まれたチーズと、
前記チーズの左右に差し込まれた一対の先端パイプ部と、
前記一対の先端パイプ部の端部を閉塞する一対のエンドキャップとを備えたＴ字型とされ、
前記一対の先端パイプ部に複数の吸引口が前記先端パイプ部の延在方向に並んで形成されていることを特徴とするサイフォン式水中掃除器具。
【請求項２】
請求項１に記載のサイフォン式水中掃除器具において、
複数の前記ノズル部のうち少なくとも一つが、先端部にブラシ部と吸引口とを備えていることを特徴とするサイフォン式水中掃除器具。
【請求項３】
請求項２に記載のサイフォン式水中掃除器具において、
前記吸引口が、前記ノズル部の先端に形成され、
前記ブラシ部が、前記吸引口の周りに設けられていることを特徴とするサイフォン式水中掃除器具。
【請求項４】
請求項１から３のいずれか一項に記載のサイフォン式水中掃除器具において、
前記筒状部又は前記ホース部に設けられ前記吸引口から吸引された水中の固形物を留め除去するためのフィルターを備えていることを特徴とするサイフォン式水中掃除器具。
【請求項５】
請求項４に記載のサイフォン式水中掃除器具において、
前記筒状部が、前記ホース部の基端を前記筒状部の中間に着脱可能に固定するホース固定部を備えていることを特徴とするサイフォン式水中掃除器具。
【請求項６】
請求項１から５のいずれか一項に記載のサイフォン式水中掃除機具おいて、
前記筒状部が、その内部に前記筒状部の先端から基端に向かった流れに対して開くと共に前記流れの逆方向の流れに対して閉じる逆止弁を備えていることを特徴とするサイフォン式水中掃除器具。
【手続補正書】
【提出日】令和2年2月17日(2020.2.17)
【手続補正１】
【補正対象書類名】特許請求の範囲
【補正対象項目名】全文
【補正方法】変更
【補正の内容】
【特許請求の範囲】
【請求項１】
ホース部と、
前記ホース部の先端に基端が取り付けられた筒状部と、
前記筒状部の先端に取り付けられ着脱が可能なノズル部を備え、
前記ノズル部として、交換可能な異なる形状のものを複数備え、
前記複数のノズル部のうち少なくとも一つが、前記筒状部の延在方向に対して垂直方向に延在した先端管部を備え、
前記先端管部が、前記筒状部の先端が中央に差し込まれたチーズと、
前記チーズの左右に差し込まれた一対の先端パイプ部と、
前記一対の先端パイプ部の端部を閉塞する一対のエンドキャップとを備えたＴ字型とされ、
前記一対の先端パイプ部に複数の吸引口が前記先端パイプ部の延在方向に並んで形成され、
前記先端パイプ部が、前記先端パイプ部の延在方向に沿って連続して設けられていると共に前記先端パイプ部の半径方向外方に突出したブラシ部を備え、
複数の前記吸引口が、前記ブラシ部から離間して配され前記ブラシ部よりも前記筒状部側に前記ブラシ部に沿って並んで形成されていると共に前記ブラシ部の突出方向に直交する方向に向けて開口していることを特徴とするサイフォン式水中掃除器具。
【請求項２】
請求項１に記載のサイフォン式水中掃除器具において、
前記吸引口が、前記ノズル部の先端に形成され、
前記ブラシ部が、前記吸引口の周りに設けられていることを特徴とするサイフォン式水中掃除器具。
【請求項３】
請求項１又は２に記載のサイフォン式水中掃除器具において、
前記筒状部又は前記ホース部に設けられ前記吸引口から吸引された水中の固形物を留め除去するためのフィルターを備えていることを特徴とするサイフォン式水中掃除器具。
【請求項４】
請求項３に記載のサイフォン式水中掃除器具において、
前記筒状部が、前記ホース部の基端を前記筒状部の中間に着脱可能に固定するホース固定部を備えていることを特徴とするサイフォン式水中掃除器具。
【請求項５】
請求項１から４のいずれか一項に記載のサイフォン式水中掃除機具おいて、
前記筒状部が、その内部に前記筒状部の先端から基端に向かった流れに対して開くと共に前記流れの逆方向の流れに対して閉じる逆止弁を備えていることを特徴とするサイフォン式水中掃除器具。